(57)【要約】【課題】前扉の裏側に整流器を備えるパチンコ遊技機において、前扉の開放状態で球抜口を閉鎖位置に保持する構成を提供する。【解決手段】球抜開閉片５８を閉鎖位置と球抜位置とに位置変換する駆動装置と、前扉６の開閉を検知する開閉検知手段とを設け、開閉検知手段により検知した前扉６の閉鎖状態では、球抜操作部４２の操作に従って、球抜開閉片６１を球抜位置へ位置変換させるように駆動装置を駆動制御し、開閉検知手段により検知した前扉６の開放状態では、球抜開閉片６１を閉鎖位置に保持するように駆動装置を停止制御するようにした。【選択図】図２
2011255228.tif 000002
【特許請求の範囲】
【請求項１】
入賞装置が配設された遊技盤と、該遊技盤へ遊技球を弾発する発射装置とを備える本体枠と、
遊技盤と発射装置を前面から覆うように、本体枠に開閉可能に枢支された前扉と、
前扉の前面に配設されて、発射装置へ送る遊技球を貯留する発射球貯留皿と、
前扉の裏側に配設され、筐体内に、遊技球を発射位置へ一個づつ間欠的に供給する球送り部材と、発射球貯留皿の遊技球を球送り部材側へ誘導する球誘導路と、球送り部材の直上流位置で球誘導路と連通して発射球貯留皿から流入した遊技球を機体前面側へ排出する球抜口と、球抜口を閉塞する閉鎖位置と開放する球抜位置とに移動可能に配設された球抜開閉片とを具備する整流器と、  
前扉の前面側に配設され、球抜開閉片を定常位置である閉鎖位置から球抜位置に変換する球抜操作部と
を備えたパチンコ遊技機において、
球抜開閉片を閉鎖位置と球抜位置とに位置変換する駆動装置と、
前扉の開閉を検知する開閉検知手段と、
開閉検知手段により検知した前扉の閉鎖状態では、球抜操作部の操作に従って、球抜開閉片を球抜位置へ位置変換させるように駆動装置を制御すると共に、開閉検知手段により検知した前扉の開放状態では、球抜操作部の操作があっても、球抜開閉片を閉鎖位置に保持するように駆動装置を制御する駆動制御手段と
を備えていることを特徴とするパチンコ遊技機。
【発明の詳細な説明】
【技術分野】
【０００１】
本発明は、発射球貯留皿にある遊技球を発射装置へ順次送出する整流器を前扉に配設したパチンコ遊技機に関する。
【背景技術】
【０００２】
一般的なパチンコ遊技機は、遊技島設備に固定される矩形状の外枠と、この外枠にヒンジ部材を介して開閉可能に枢設された本体枠とを備えている。この本体枠には、所定の入賞装置が配設された遊技盤と、該遊技盤に遊技球を発射する発射装置とが配設されている。また、本体枠の前面には、遊技盤と発射装置とを覆うようにして、前扉が開閉可能に枢支されている。前扉の前面側には、発射装置を覆う部分に、発射用の遊技球を貯留する発射球貯留皿が配設されている。
【０００３】
前扉の裏側には、前扉の閉鎖状態で、発射球貯留皿から遊技球を発射装置の作動に合わせて一個ずつ間欠的に発射装置に送出する整流器が設けられている。この整流器には、その筐体内に、遊技球を発射位置へ順次送球する球送り部材が配設されており、この球送り部材側へ発射球貯留皿の遊技球を誘導する球誘導路が設けられている。また、整流器には、球送り部材の直上流部位で連通し、発射球貯留皿から流入した遊技球を機体前面側（例えば、本体枠の下部に設けられた余剰球貯留皿）へ排出する球抜口が形成されている。この球抜口は、整流器内に移動可能に配された球抜開閉片によって、通常は閉塞されており、球誘導路を流入して来た遊技球が球送り部材に誘導されるようになっている。この球抜開閉片は、前扉の前面側に設けられた球抜操作部の操作に従って、球抜口を開放する球抜位置に移動する。球抜口が開放すると、球誘導路を流入してきた遊技球を、球抜口を介して整流器外へ流出して機体前面側に排出するようになっている。このように、球抜開閉片は、球抜口を閉塞する閉鎖位置と開放する球抜位置とに位置変換されるものである。
【０００４】
上記したように、前扉の裏側に配設した整流器により、発射球貯留皿から遊技球を誘導し、該遊技球を発射装置に送出すると共に、機体前面側へ排出するようにした構成のパチンコ遊技機は、良く知られている（例えば、特許文献１）。かかる構成は、前扉を開放した場合に、整流器が前扉の裏側に露出し、かつ発射装置が内枠の前面に露出することから、メンテナンスなどの作業を迅速かつ簡便に行えるという利点がある。
【特許文献１】特開２００５−２３０５８１号公報（[００５２]参照）
【発明の開示】
【発明が解決しようとする課題】
【０００５】
上述した従来のパチンコ遊技機にあって、例えば、本体枠の下部前面に余剰用の遊技球を貯留する余剰貯留皿が配設された構成の場合、前扉の閉鎖状態では、整流器の球抜口と余剰貯留皿とが連通しているため、球抜操作部の操作により、遊技球は整流器から球抜口を介して機体前面側の余剰貯留皿に排出される。ところが、メンテナンスなどを実施するために前扉を開放すると、該前扉の裏側に配設した整流器も同時に前方へ移動することとなるため、整流器の球抜口と余剰貯留皿とが連通しない状態となる。この状態で、球抜操作部が誤って操作されると、遊技球は前方に移動した整流器から機外に零れてホール床に散乱してしまうこととなっていた。
【０００６】
本発明は、上記した問題点を解決するものであり、前扉の開放状態で球抜操作部を操作しても、前扉の裏側に配設された整流器から遊技球が機外に零れないようにしたパチンコ遊技機の提供を目的とする。
【課題を解決するための手段】
【０００７】
本発明は、入賞装置が配設された遊技盤と、該遊技盤へ遊技球を弾発する発射装置とを備える本体枠と、遊技盤と発射装置を前面から覆うように、本体枠に開閉可能に枢支された前扉と、前扉の前面に配設されて、発射装置へ送る遊技球を貯留する発射球貯留皿と、前扉の裏側に配設され、筐体内に、遊技球を発射位置へ一個づつ間欠的に供給する球送り部材と、発射球貯留皿の遊技球を球送り部材側へ誘導する球誘導路と、球送り部材の直上流位置で球誘導路と連通して発射球貯留皿から流入した遊技球を機体前面側へ排出する球抜口と、球抜口を閉塞する閉鎖位置と開放する球抜位置とに移動可能に配設された球抜開閉片とを具備する整流器と、前扉の前面側に配設され、球抜開閉片を定常位置である閉鎖位置から球抜位置に変換する球抜操作部とを備えたパチンコ遊技機において、球抜開閉片を閉鎖位置と球抜位置とに位置変換する駆動装置と、前扉の開閉を検知する開閉検知手段と、開閉検知手段により検知した前扉の閉鎖状態では、球抜操作部の操作に従って、球抜開閉片を球抜位置へ位置変換させるように駆動装置を制御すると共に、開閉検知手段により検知した前扉の開放状態では、球抜開閉片を閉鎖位置に保持するように駆動装置を制御する駆動制御手段とを備えた構成を特徴とするものである。
【０００８】
かかる構成にあっては、駆動装置を駆動制御することにより球抜開閉片を閉鎖位置と球抜位置とに変換するものであり、開閉検知手段により前扉の開放状態と閉鎖状態を検知して、閉鎖状態にある場合には球抜開閉片を閉鎖位置から移動しないように制御したものである。これにより、前扉の閉鎖状態で、誤って球抜操作部を操作しても発射球貯留皿の遊技球がホール床に零れることがない。このように、かかる構成にあっても、上述したように、整流器を前扉の裏側に配設したものであり、前扉の開放状態で、整流器から遊技球が零れることを防ぐものである。
【０００９】
ここで、整流器の前面／裏側、整流器の筐体背面、球抜開閉片の裏方は、上述したように、前扉の閉鎖状態における各方向を指す。
【００１０】
上述した駆動装置としては、球抜開閉片を移動させるモータやソレノイドなどを用いることができ、その駆動制御手段として、前扉の閉鎖状態では、球抜操作部の操作に従って電気信号を駆動装置に発信すると共に、前扉の開放状態では、前記電気信号を発信しないようにしたり、駆動装置を駆動するための電源を切断する制御を行うようにすることができる。また、開閉検知手段として、前扉の開閉を検知するための検知センサや、前扉を本体枠に閉鎖しておくための係合手段の作動を検知するようにしたもの等を用いることができる。
【発明の効果】
【００１１】
上述したように本発明は、前扉の裏側に整流器が配設された構成にあって、前扉の開閉を検知する開閉検知手段から得た信号に基づいて、前扉の閉鎖状態では、球抜操作部の操作に従って駆動装置を制御して球抜開閉片を球抜位置へ位置変換し、前扉の開放状態では、球抜開閉片を閉鎖位置で保持するように駆動装置を制御するようにしたパチンコ遊技機としたから、前扉を開放した状態で、誤って球抜操作部を操作してしまっても、発射球貯留皿の遊技球がホール床に零れて散乱することがなく、前扉を開放して実施するメンテナンスなどの作業の作業性を改善でき得る。
【発明を実施するための最良の形態】
【００１２】
本発明と関係する参考実施形態を、以下の実施例に従って説明する。
本実施例のパチンコ遊技機１は、図１，２に示すように、遊技島設備に固定される木製の外枠２と、該外枠２の開口部分に取り付けられた遊技機本体３とから構成されている。
【００１３】
遊技機本体３は、板状の本体枠５を備え、この本体枠５が上記外枠２にヒンジ部材４を介して枢着されている。この本体枠５の前面側には前扉６が開閉可能に配設されており、本体枠５の背面側には裏機構板７が配設されている。
【００１４】
上記した本体枠５には、遊技盤９が配設されており、該遊技盤９の前面には、案内レール１３が湾曲状に設けられている。そして、この案内レール１３により区画された円形領域は、大入賞口や普通入賞口などを備えた各種入賞装置（図示省略）や遊技釘などが配設された遊技領域１２となっている。
【００１５】
また、本体枠５には、遊技盤９の直下に発射装置１５が配設されている。この発射装置１５は、図３のように、金属製の発射機構板１６に、遊技球を打圧する発射鎚１７や、打圧された遊技球を案内する発射レール１８、発射鎚１７を駆動する発射用ソレノイド１９等を配設してなるものである。ここで発射装置１５を詳述する。発射機構板１６の前面には、発射レール１８が所定角度で左上がりに固定され、該発射レール１８の左上端が、その左上方に前記案内レール１３の入口を臨むようになっている。発射レール１８の右端部の上方には、ゴム製の発射球位置決め部材４８が設けられており、これにより、発射レール１８上の、遊技球の発射位置Ｐが位置規定されている。また、発射機構板１６の右側背面には、ロータリーソレノイドからなる発射用ソレノイド１９が固定される。この発射用ソレノイド１９の回転軸杆は、発射機構板１６を貫通して前面側に突出しており、該回転軸杆の先端に発射鎚１７が固定される。この発射鎚１７は、その打撃部を、前記発射位置Ｐを右側から臨むように配設されている。前記発射用ソレノイド１９は、後述する裏機構板７に配設された発射制御基板（図示省略）に接続されており、該発射制御基板から入力した信号に従って、発射鎚１７を発射位置Ｐにある遊技球を打圧する位置と、発射位置Ｐから右側に退避した位置とに往復駆動する。
【００１６】
また、本体枠５の前面下部には、図１，２のように、下部パネル２３が設けられており、この下部パネル２３の前面中央に余剰の遊技球を貯留する余剰球貯留皿１１が配設されている。この余剰球貯留皿１１内には球放出口２４が開口しており、該球放出口２４から余剰球貯留皿１１内に遊技球が放出される。また、余剰球貯留皿１１の底部には遊技球排出用の球抜孔２５が形成されており、余剰球貯留皿１１の底部に設けられた球抜スライダ２６を移動操作すると球抜孔２５が開放し、余剰球貯留皿１１の遊技球を下方へ排出可能となる。
【００１７】
余剰球貯留皿１１の右方には発射ハンドル２８が突設される。発射ハンドル２８の外周部には回動操作可能な発射レバー２９が設けられており、発射ハンドル２８の内部には、発射レバー２９の回動角度を検知する回動角度検知センサが配設される。回動角度検知センサは、上記した発射装置１５や後述する整流器５０の作動を制御する発射制御基板（図示省略）に接続される。すなわち、発射レバー２９の操作に従って回動角度検知センサから発射制御基板に信号が入力され、これに従って該発射制御基板は、上述した発射装置１５の発射用ソレノイド１９を駆動制御し、発射鎚１７により発射位置Ｐにある遊技球が発射されるのである。
【００１８】
また、上記した裏機構板７は、本体枠５の背面側に取り付けられており、その上部には、遊技島設備から供給される遊技球を貯留する球タンク３０が設けられており、球タンク３０の下方位置には、球タンク３０の遊技球を払い出すための払出装置や球通路が配設される（図示省略）。さらに、裏機構板７には、遊技全般を制御する主制御基板や、上記した発射制御基板等の各種基板が夫々設けられている（図示省略）。
【００１９】
一方、上記した前扉６は、その左側縁がヒンジ部材３２によって本体枠５に枢着されている。ここで、前扉６は、上記した下部パネル２３より上の領域をほぼ全体的に前面から覆うように設けられており、本体枠５に閉鎖された状態で、上記した遊技盤９及び発射装置１５を前方から覆うこととなっている。
【００２０】
この前扉６の中央には、透明板３３を保持する略円形の遊技領域開口部３４が形成されており、前扉６を閉鎖した状態で、該遊技領域開口部３４を介して、上記した遊技盤９の遊技領域１２を前方から視認可能となっている。
【００２１】
また、前扉６の下部前面には、発射球貯留皿１０が配設されており、該発射球貯留皿１０内の左側位置に、発射球貯留皿１０へ遊技球を供給するための球払出口３６が開口している。発射球貯留皿１０の右側内部には、遊技球を整列する整列部３８が形成されており、該整列部３８の右端には、遊技球を取り込む球取込口３９が形成されている（図９参照）。そして、この発射球貯留皿１０の内底面は、遊技球が整列部３８を流下して球取込口３９へ流入するように右方向へ下方傾斜している。また、発射球貯留皿１０の右上縁部には、後述する球抜ボタン４２が押圧操作可能に配設されている。
【００２２】
前扉６の裏面側には、遊技領域開口部３４の下方部位に補強用の裏パネル板４０が固定される。そして、この裏パネル板４０の背面に、上記した発射球貯留皿１０の球取込口３９を介して流入した遊技球を、発射装置１５の発射位置Ｐに遊技球を一個ずつ間欠的に供給する整流器５０が配設されている。また、この裏パネル板４０の前面側には、上記した球抜ボタン４２の操作に従って作動する球抜作動機構４１が設けられている（図７参照）。
【００２３】
上記した整流器５０について説明する。
整流器５０は、前扉６の閉鎖状態で、上記した発射装置１５の前面側に位置するように、前扉６の裏パネル板４０に取り付けられている（図９（Ａ）参照）。この整流器５０は、上記した発射球貯留皿１０から遊技球を取り込み、上記したように、発射位置Ｐに順次供給すると共に、球抜ボタン４２の操作により球抜作動機構４１と連動して、遊技球を余剰球貯留皿１１へ排出するものである。
【００２４】
整流器５０は、図５，６のように、遊技球を一個ずつ送り出す電動式の球送り機構を筐体５１内に備えてなるものである。筐体５１の前面上部には、上記した発射球貯留皿１０の右端に形成された球取込口３９と連通する取込流入口（図示省略）が形成されており、発射球貯留皿１０の遊技球を、取込流入口から整流器５０内に流入する。また、この筐体５１内には、前扉６の閉鎖状態で、発射レール１８の発射位置Ｐの直前方に位置するように、前後方向へ回動可能な球送り部材５２が軸支されている。さらに、この球送り部材５２の直上位置と前記取込流入口とを連通する球誘導路５４が設けられている。
【００２５】
ここで、球送り部材５２は、その回動軸７１と一体成形されており、該回動軸７１を筐体５１に形成された軸受け部７２に挿通されて支持されている。さらに、球送り部材５２には、片側面（図における左側面）から連係杆７３が側方へ突出している。この連係杆７３は、上下方向に移動可能に設けられた連係機構（図示省略）に係合しており、該連係機構が、筐体５１内に配設されたソレノイド（図示省略）に連結されている。そして、このソレノイドは、上記した発射制御基板（図示省略）に接続されている。すなわち、ソレノイドが通電して駆動すると、連係機構が上下方向に往復移動し、この移動に伴って球送り部材５２が間欠的に往復回動する。そして、この球送り部材５２は、その上面を湾曲凹面７４としており、該湾曲凹面７４が上方を向く球受入状態（図６（Ａ）参照）と、後方を向く送球状態（図６（Ｂ）参照）とに回動変換される。この送球状態で、湾曲凹面７４上に受けた遊技球を後方へ送り出し、上記した発射レール１８上の発射位置Ｐに供給できることとなる。
【００２６】
球誘導路５４は、上述したように、筐体５１の前面上部に形成された取込流入口（図示省略）と、該取込流入口の下方に配設された球送り部材５２とを連通するものである。すなわち、発射球貯留皿１０から取込流入口を介して流入した遊技球が、その自重により一列状に順次球送り部材５２の直上に流れていく。そして、この遊技球は、上記した球受入状態の球送り部材５２の湾曲凹面７４上に一旦収容される。次に、このタイミングで球送り部材５２が上記した送球状態へ回動変換されることにより、湾曲凹面７４上に受けた遊技球を後方へ送り出し、上記した発射レール１８上の発射位置Ｐに供給する。このような遊技球を一個ずつ間欠的に発射位置Ｐへ供給する作動は、上述した発射装置１５の発射鎚１７の一往復駆動に連係して実行されるように発射制御基板により制御され、発射位置Ｐに順次供給される遊技球が発射鎚１７により順次発射されることとなっている。
【００２７】
尚、球送り部材５２が送球状態にある場合の、その湾曲凹面７４の位置が、遊技球を発射位置Ｐに送り出すための、整流器５０の球送出口となる。
【００２８】
上記した整流器５０の筐体５１には、その下部に、上記した球誘導路５４内の遊技球を整流器５０外に排出するための球排出口５５が下向きに形成されている（図９（Ａ）参照）。そして、筐体５１内に、前記球排出口５５と球誘導路５４とを上下方向に連通する球排出路５６が設けられている。ここで、球排出路５６の上端は、球誘導路５４の、球送り部材５２の直上流位置に接続されている。この球排出路５６の上端部が、本発明にかかる球抜口５７である。
【００２９】
さらに、筐体５１内には、前記した球抜口５７から球抜き部材５２と反対方向（図中の右方向）に案内路６９が形成されており、この案内路６９内を左右方向に摺動可能とした球抜開閉片５８が内蔵されている。球抜開閉片５８は、案内路６９に沿って移動し、球抜口５７を閉鎖する閉鎖位置（図５（Ａ）参照）と開放する球抜位置（図５（Ｂ）参照）とに位置変換する。この球抜開閉片５８は、図示しない付勢バネによって、案内路６９内で閉鎖位置に付勢されている。さらに、球抜開閉片５８の前面には、摺動突部５９が突成されていると共に、筐体５１の前面には、案内路６９に沿って左右方向に長い作動用長孔６０が形成されており、前記摺動突部５９が作動用長孔６０から前方へ突出している（図８参照）。
【００３０】
球抜開閉片５８は、通常で閉鎖位置（図５（Ａ）参照）にあり、上述した球抜ボタン４２の操作によって、球抜位置（図５（Ｂ）参照）に位置変換されるものである。このように球抜開閉片５８を作動させる球抜作動機構４１が、前扉６に設けられている。この球抜作動機構４１について説明する。
【００３１】
球抜ボタン４２は、球抜作動機構４１を構成するものであって、図７のように、その下端を、前後方向のボタン軸４２ａにより軸支されており、押圧操作されると、ボタン軸４２ａを中心として傾動する。この押圧操作により、球抜ボタン４２は、ほぼ上下方向に移動して、定常位置と押圧位置とに変換される。
【００３２】
また、球抜ボタン４２の直下には、縦長でほぼ逆三角形状の球抜クランク４３が起立状に配設されている。なお、この球抜クランク４３の上面と球抜ボタン４２の下面とは接触している。また、球抜クランク４３は、その上端であって前扉６の中央寄り部位を、前後方向のクランク支軸４４により軸支されている。さらに、球抜クランク４３の、前扉６の外側寄りの側部には、一端が前扉６の内側縁に係止されたクランクバネ４５が接続されており、球抜クランク４３は、該クランクバネ４５の付勢力により外側方へ常時付勢されている。
【００３３】
この球抜クランク４３の下端には、縦長の連結軸用長孔４３ａが形成されている。この連結軸用長孔４３ａの裏方には、球抜スライダ４６が左右方向に移動可能とするように配設されている。ここで球抜スライダ４６は、平板状の基体４６ａと、該基体４６ａの、前扉６の外側寄りの前面部位に、前方へ突成された連結軸４６ｂと、該基体４６ａの、前扉６の中央側の側部から、側方へ突成された連結アーム４６ｃとを備えている。そして、球抜スライダ４６の連結軸４６ｂが、前記した球抜クランク４３の連結軸用長孔４３ａに挿通されている。
【００３４】
球抜スライダ４６の連結アーム４６ｃの側端面には、加圧凹部４６ｄが形成されており、上述した整流器５０から前方に突出した球抜開閉片５８の摺動突部５９と当接する（図８参照）。
【００３５】
このような球抜作動機構４１は、球抜ボタン４２が定常位置にある場合、図７（Ａ）のように、上記球抜クランク４３がクランクバネ４５の付勢力に従って通常の起立状態にあり、球抜スライダ４６が図７中の左側寄り位置にある。この状態で、整流器５０の球抜開閉片５８は、図示しない付勢バネに従って閉鎖位置（図５（Ａ）参照）にある。球抜ボタン４２が押圧操作されると（押圧位置となると）、図７（Ｂ）のように、球抜ボタン４２がボタン軸４２ａを中心として下方へ傾動し、球抜クランク４３が、クランクバネ４５の付勢力に抗して、クランク支軸４４を中心として傾動する。これにより、球抜クランク４３の下端が前扉６の中央方向へ変位し、該球抜クランク４３の連結軸用長孔４４ａと球抜スライダ４６の連結軸４６ｂとの係合により、該球抜スライダ４６が前扉６の中央方向へ移動する。この球抜スライダ４６の移動に従って、その連結アーム４６ｃの加圧凹部４６ｄが球抜開閉片５８の摺動突部５９を前扉６の中央方向へ押し出す。これにより、球抜開閉片５８が案内路６９内で閉鎖位置（図５（Ａ）参照）から球抜位置（図５（Ｂ）参照）に移動し、整流器５０の球誘導路５４に流入した遊技球を球抜口５７から排出する（図９（Ａ）参照）。
【００３６】
上述した球抜ボタン４２の押圧操作を解除すると、球抜クランク４３はクランクバネ４５の付勢力に従って通常の起立状態に戻り、これに伴って球抜スライダ４６も左寄りの通常位置に戻る。これにより、球抜開閉片５８が、図示しない付勢バネの付勢力に従って球抜位置から閉鎖位置に復帰する。このように、前扉６の前面に配設された球抜ボタン４２を操作することにより、球抜開閉片５８を閉鎖位置と球抜位置とに位置変換して、球抜口５７を開閉することができる。
【００３７】
尚、上記した球抜ボタン４２により、本発明に係る球抜操作部が構成されている。
【００３８】
一方、本体枠５の下部に設けられた下部パネル２３には、図２，９のように、前扉６の閉鎖状態で、整流器５０の球排出口５５の直下となる位置に、上向きに排出連通口２７が形成されている。この排出連通口２７は、球放出口２４の直上流に連通しており、排出連通口２７から流入した遊技球を球放出口２４を介して余剰球貯留皿１１に放出するようになっている。すなわち、前扉６の閉鎖状態で、上述したように球抜ボタン４２が操作されると、図９（Ａ）のように、球抜開閉片５８が球抜位置に位置変換されて球抜口５７を開放し、遊技球が球誘導路５４から球抜口５７を介して球排出路５６を流下して球排出口５５から流出する。そして、この遊技球は、前記した排出連通口２７を介して余剰球貯留皿１１に流出する。
【００３９】
次に、本発明と関係する要部について説明する。
上記した整流器５０には、図４のように、その筐体５１の背面に、案内路６９に沿って左右方向に長い移動案内孔６１が形成されている。また、球抜開閉片５８の背面には、案内突部６２が突成されており、該案内突部６２が前記した移動案内孔６１から裏方へ突出している。すなわち、この案内突部６２は、球抜開閉片５８が閉鎖位置（図５（Ａ）参照）と球抜位置（図５（Ｂ）参照）との間を移動するに伴って、同様に移動する。
【００４０】
筐体５１の背面には、前記した移動案内孔６１の上方位置に、断面く字形の球抜規制部材６３が前後方向に回動可能となるように軸支されている。この球抜規制部材６３は、その屈曲部位の左右両側面から規制軸部６４が夫々突成されており、該規制軸部６４が筐体５１に軸支されている。尚、規制軸部６４により、本発明の軸支部を成す。
【００４１】
球抜規制部材６３は、規制軸部６４の下側となる規制部６５と、上側となる受圧部６６とを備えている。そして、規制部６５は、受圧部６６に比して重くなるように形成されており、通常状態で、球抜規制部材６３は、図４（Ａ）のように、規制部６５が規制軸部６４から垂下した状態となる（図９（Ｂ）参照）。この状態で、規制部６５は、閉鎖位置にある球抜開閉片５８の案内突部６２の、直ぐ横に位置し、案内突部６２が移動案内孔６１に沿って移動する場合に、該案内突部６２と当接してその移動を阻止する。これにより、球抜開閉片５８が球抜位置へ位置変換できなくなっている。このように、規制部６５が、自重により垂下した状態が、本発明にかかる球抜規制部材６３の規制位置である。
【００４２】
球抜規制部材６３が、上記した規制位置にある場合には、その受圧部６６が後方へ傾斜している。この受圧部６６を後方から前方へ押し付けることにより、図４（Ｂ）のように、該受圧部６６が、規制軸部６４，６４上で起立し、これに伴って、規制部６５が後方へ傾斜する（図９（Ａ）参照）。これにより、規制部６５が、球抜開閉片５８の案内突部６２の移動を阻止できなくなるため、該球抜開閉片５８を球抜位置へ移動可能となる。このように、規制部６５が後方へ傾斜した状態が、本発明にかかる球抜規制部材６３の開放位置である。
【００４３】
また、本体枠５の発射装置１５には、その発射機構板１６に棒状の係合部材６８が前方に突成されている（図３参照）。この係合部材６８は、前扉６の閉鎖状態で、図４（Ｂ）のように、上記した整流器５０に配設された球抜規制部材６３を、その受圧部６６と当接して前方へ押し付けて、開放位置に保持する。一方、前扉６を開放すると、係合部材６８と受圧部６６とが離間することとなるため、球抜規制部材６３は、図４（Ａ）のように、規制部６５の自重により前方へ傾動して、規制位置となる。
【００４４】
このように本実施例の構成にあっては、前扉６の閉鎖状態では、整流器５０に設けられた球抜規制部材６３が、本体枠５から突出する係合部材６８により開放位置に保持されることから、球抜ボタン４２を操作することによって、球抜開閉片５８を閉鎖位置から球抜位置に位置変換して、発射球貯留皿１０から球誘導路５４内に流入した遊技球を球抜口５７を介して余剰球貯留皿１１に排出することができる（図９（Ａ）参照）。一方、前扉６を開放すると、これに伴って球抜規制部材６３が係合部材６８から離間して規制位置となるから、球抜ボタン４２を操作しても、球抜開閉片５８が閉鎖位置（図５（Ａ）参照）から移動できず、球誘導路５４内の遊技球を排出することができない（図９（Ｂ）参照）。そのため、前扉６の開放状態で、誤って球抜ボタン４２を操作しても、遊技球が整流器５０の球排出口５５から排出されることがない。
【００４５】
尚ここで、さらに述べると、前扉６の開放状態では、整流器５０が、下部パネル２３の前方に離間していることから、球排出口５５の下方にはホール空間が存在するのみである。この開放状態で、仮に、球抜開閉片５８が球抜位置（図５（Ｂ）参照）となると、発射球貯留皿１０から球誘導路５４内に流入した遊技球は、球排出口５５から下方へ排出されて、ホール床上に散乱することとなってしまう。ところが、上述した本実施例の構成では、前扉６の開放に伴って自動的に、球抜開閉片５８の閉鎖位置からの移動が阻止されるため、球誘導路５４内の遊技球がホール床上に散乱する事態が生じない。
【００４６】
次に、上述した参考実施例と異なる構成について説明する。
【００４７】
図１０のように、整流器５０の筐体５１の背面に、鍬形の球抜規制部材８０を上下方向へ回動可能とするように配設する。この球抜規制部材８０は、横方向の係合杆部８１と、該係合杆部８１の一端から下方に延成された、前後方向に幅広板状の規制部８２とから構成されており、係合杆部８１の他端が、筐体５１から裏方に突成された規制支軸８３の裏端部に軸支されている。さらに、筐体５１の背面には、球抜規制部材８０の係合杆部８１を支持するための支持突部８４が突成されている。球抜規制部材８０は、図１０（Ａ）のように、この支持突部８４に係合杆部８１が支持された状態で、閉鎖位置にある球抜開閉片５８の案内突部６２が移動する場合に、規制部８２により該案内突部６２の移動を阻止する。ここが、球抜規制部材８０の規制位置であり、該球抜規制部材８０は、規制部８２の自重により、通常の状態で、規制位置となる。
【００４８】
さらに、本体枠５の発射装置１５には、図１０（Ｂ）のように、その発射機構板１６の前面に、三角板状の係合部材８８が突成されている。この係合部材８８は、前方先端から上方へ傾斜する斜縁部８９を備えており、該斜縁部８９が、前扉６の閉鎖状態で、上記した球抜規制部材８０の係合杆部８１の下辺に当接して、該球抜規制部材８０を規制位置から上方へ傾動させる。すなわち、前扉６を開放した状態から閉鎖していくと、規制位置にある球抜規制部材８０の係合杆部８１の下辺に、係合部材８８の斜縁部８９と当接し、さらに閉め込むことにより、係合杆部８１が斜縁部８９に倣って上方へ傾動する。そして、前扉６の閉鎖状態で、球抜規制部材８０は、その規制部８２が筐体５１の移動案内孔６１の上方に位置して保持され、球抜開閉片５８が球抜位置へ移動可能となる。この位置が、球抜規制部材８０の開放位置である。尚、前扉６を開放すれば、係合部材８８が球抜規制部材８０と離間するため、該球抜規制部材８０は、その自重により、自動的に下方へ傾動して規制位置となる。
【００４９】
このような構成にあっても、上述した実施例と同様に、前扉６を開放した状態で、誤って球抜ボタン４２を操作しても、整流器５０の球抜口５７は開放されず、遊技球がホール床上に散乱することがない。
【００５０】
また、さらに別の構成として、図１１のように、筐体５１の背面に、逆Ｌ字形の球抜規制部材９０を上下方向に移動可能に配設した構成とすることもできる。この球抜規制部材９０は、上下方向の長杆状の規制部９１と、該規制部９１の上端から横方向に延成した係合杆部９２とから構成されており、規制部９１が上下方向の案内ガイド９３により摺動可能に支持されている。この規制部９１の上部には、側辺に係止突部９４が突成されており、前扉６の開放状態で、該係止突部９４が案内ガイド９３の上端に支持されて、球抜規制部材９０の下方移動を制限している。球抜規制部材９０は、図１１（Ａ）のように、案内ガイド９３の上端に支持された状態で、その規制部９１により、閉鎖位置にある球抜開閉片５８の案内突部６２が移動する場合に、該案内突部６２と当接してその移動を阻止できるようにしている。ここが、球抜規制部材９０の規制位置であり、該球抜規制部材９０は、通常の状態で、その自重により規制位置となる。
【００５１】
この球抜規制部材９０は、規制位置にある場合にも、その係合杆部９２が筐体５１の上方に位置する寸法形状となっている。そして、本体枠５の発射装置１５の発射機構板１６には、図１１（Ｂ）のように、前方へ突出する係合突部９８が設けられている。この係合突部９８は、略三角形状を成し、その先端から上方へ傾斜する斜縁部９９を備えており、該斜縁部９９が、前扉６の閉鎖状態で、球抜規制部材９０を、その係合杆部９２下辺に当接して、上方へ移動させている。すなわち、前扉６を開放状態から閉鎖していくと、係合突部９８の斜縁部９９が、規制位置にある球抜規制部材９０の係合杆部９２の下辺に当接し、さらに閉め込むことにより、該係合杆部９２が斜縁部９９に倣って上方へ押されて、球抜規制部材９０を上方移動させる。そして、前扉６の閉鎖状態で、球抜規制部材９０は、その規制部９１が移動案内孔６１の上方に位置して保持され、球抜開閉片５８が球抜位置へ移動可能となる。この位置が、球抜規制部材９０の開放位置である。尚、前扉６を開放すれば、球抜規制部材９０は、その自重により自動的に規制位置へ降動する。
【００５２】
上述した各実施例にあっては、球抜規制部材６３，８０，９０を、前扉６の開放状態で、その自重により各規制位置に位置させる構成であるが、その他の構成として、各球抜規制部材６３，８０，９０を規制位置に付勢する付勢手段を備えた構成とすることもできる。例えば、板バネやコイルバネなどを付勢手段として配設することができる。また、球抜規制部材６３，８０，９０に、重りを付けて、規制位置へ移動し易くする構成としても良い。
【００５３】
次に本発明に係る実施例につき説明する。
上述した各構成と別構成として、球抜開閉片を駆動装置により閉鎖位置と球抜位置とに移動させるようにし、該駆動装置の駆動を制御することにより、前扉６の開放状態で、球抜開閉片を閉鎖位置から移動しないようにする構成とすることもできる。この構成にあっては、球抜ボタン４２の押圧操作によりオン作動するスイッチが設けられ、このスイッチが発射制御基板に接続されている。ここで、上記した実施例の球抜作動機構４１は、球抜ボタン４２以外は配設されない。また、整流器５０の前側には、通電を契機として駆動開始するソレノイドが配設されており、該ソレノイドの駆動軸が、球抜開閉片の摺動突部に係合している。このソレノイドは、発射制御基板に接続されており、所定の制御信号に基づいて通電し、その駆動軸を左右方向へ進退作動させる。ここで、ソレノイドが通電していない状態で、駆動軸は、球抜開閉片を閉鎖位置とする退避位置にあり、通電されることにより、駆動軸が進出作動して、球抜開閉片を球抜位置に移動させる。すなわち、発射制御基板は、前記した球抜ボタン４２の押圧操作によりオン作動により入力した信号に基づいて、ソレノイドを通電する信号を出力して、駆動軸を進出作動させ、球抜開閉片を球抜位置に位置変換する。そして、球抜ボタン４２の操作が解除されると、ソレノイドを通電する信号を停止して、駆動軸を退避位置に退避作動させ、球抜開閉片を閉鎖位置に位置変換する。
【００５４】
そして、この構成には、前扉６に被検知部を配設し、本体枠５に、前扉６の閉鎖状態で、該被検知部と対向する位置に検知センサを配設している。この検知センサは、発射制御基板に接続されており、前扉６の閉鎖状態で被検知部を検知して、検知信号を発射制御基板に出力する。発射制御基板は、検知センサから検知信号を入力している状態では、上記した球抜ボタン４２の操作に従ってソレノイドを通電する信号を出力する制御を実行する。一方、前扉６が開放されると、被検知部と検知センサとが離間するため、検知センサは被検知部を検知できず、検知信号を出力しない。この場合には、発射制御基板は球抜ボタン４２の操作による信号を入力しても、ソレノイドを通電する信号を出力しない。これにより、前扉６の開放状態では、球抜ボタン４２を誤って操作しても、遊技球が整流器５０から零れてホール床上に散乱することがない。
【００５５】
ここで、ソレノイドが本発明にかかる駆動装置であり、被検知部及び検知センサが本発明にかかる開閉検知手段であり、発射制御基板が本発明にかかる駆動制御手段である。尚、この構成では、筐体５１の移動案内孔、球抜開閉片の案内突部、球抜規制部材、係合部材は配設されていない。これら構成以外は、上記した実施例と同じ構成であり、その説明を省略している。
【図面の簡単な説明】
【００５６】
【図１】前扉６の閉鎖状態のパチンコ遊技機１の斜視図である。
【図２】前扉６の開放状態のパチンコ遊技機１の斜視図である。
【図３】発射装置１５の斜視図である。
【図４】整流器５０の、（Ａ）球抜規制部材６３を規制位置とした後方斜視図と、（Ｂ）球抜規制部材６３を開放位置とした後方斜視図である。
【図５】整流器５０の、（Ａ）球抜開閉片５８が閉鎖位置にある状態の部分断面図と、（Ｂ）球抜開閉片５８が球抜位置にある状態の部分断面図である。
【図６】整流器５０の、（Ａ）球送り部材５２が球受入状態にある時の図５Ｆ−Ｆ断面図と、（Ｂ）球送り部材５２が球送り状態にある時の図５Ｆ−Ｆ断面図である。
【図７】球抜作動機構４１の、（Ａ）球抜ボタン４２が定常位置にある状態の背面図と、（Ｂ）球抜ボタン４２が押圧位置にある状態の背面図である。
【図８】球抜開閉片５８と球抜スライダ２６とを表す斜視図である。
【図９】（Ａ）前扉６の閉鎖状態における、球抜口５７が開放した状態の縦断面図と、（Ｂ）前扉６の開放状態における、球抜口５７が閉鎖している状態の縦断面図である。
【図１０】別構成の球抜規制部材８０を、（Ａ）規制位置とした後方斜視図と、（Ｂ）開放位置とした後方斜視図である。
【図１１】別構成の球抜規制部材９０を、（Ａ）規制位置とした後方斜視図と、（Ｂ）開放位置とした後方斜視図である。
【符号の説明】
【００５７】
１  パチンコ遊技機
５  本体枠
６  前扉
９  遊技盤
１０  発射球貯留皿
１５  発射装置
４２  球抜ボタン（球抜操作部）
５０  整流器
５１  筐体
５２  球送り部材
５４  球誘導路
５７  球抜口
５８  球抜開閉片
６１  移動案内孔
６２  案内突部
６３，８０，９０  球抜規制部材
６５  規制部
６６  受圧部
６８，８８，９８  係合部材
【図１】
2011255228.tif 000003
【図２】
2011255228.tif 000004
【図３】
2011255228.tif 000005
【図４】
2011255228.tif 000006
【図５】
2011255228.tif 000007
【図６】
2011255228.tif 000008
【図７】
2011255228.tif 000009
【図８】
2011255228.tif 000010
【図９】
2011255228.tif 000011
【図１０】
2011255228.tif 000012
【図１１】
2011255228.tif 000013